Podtech/llm-jp-corpus-v4-ja_patent huggingface dataset:
(57)【要約】      （修正有）【課題】熱可塑性樹脂を主体とする２枚のフィルムを手袋状に裁断及び融着してなるフリーサイズ手袋を用いた作業において、フリーサイズ手袋の指先部や太さが、指の長さや太さにフィットせず、手袋と手指の密着化・一体化が図れず、そのため手袋を介して物を握る把持力が弱くなり、手袋を装着して作業を行う目的が達成できない。サイズの合わない手袋を使用者の手指にフィットさせ、手袋のダブツキを防止する緊諦具を提供する。【解決手段】弾性体で作られた手首環７、又はマジックテープ（登録商標）で手首太さに合せて周囲長さを変えることのできる手首環７と、輪状ゴム８，９，１０とを一体化させた緊締具であって、フリーサイズ手袋に装着後、指部の付け根部に係合させることができる、フリーサイズ手袋用緊締具。【選択図】図１
2014019965.tif 000002
【特許請求の範囲】
【請求項１】
手首環と輪状ゴムを１本乃至５本一体化させた、フリーサイズ手袋用緊諦具。      
【請求項２】
手首環と輪状ゴムにＪＩＳＺ１７０１に規定されるゴム輪１２号、１４号、１６号、１８号の何れか、若しくは組み合わせのものを使用した請求項１記載のフリーサイズ手袋用緊諦具。
【発明の詳細な説明】
【技術分野】
【０００１】
本発明は、サイズの合わない手袋を使用者の手指にフィットさせ、手袋のダブツキを防止する緊諦具に関するものである。
【背景技術】
【０００２】
熱可塑性樹脂を主体とする２枚のフィルムを手袋状に裁断及び融着してなるフリーサイズ手袋は、サイズ分類も少なくフィルムの伸縮性もなく、使用者の手指サイズが各人各様に異なるため手指にフィットすることがない。
【０００３】
特許文献１では、フリーサイズ手袋の手首部を固定する手袋が提案されている。
【先行技術文献】
【特許文献】
【０００４】
【特許文献１】実用新案公開昭６２−１９４７１３号広報
【発明の概要】
【発明が解決しようとする課題】
【０００５】
しかしながら、上記特許文献１では、フリーサイズ手袋の指先部や太さが、指の長さや太さにフィットせず、手袋と手指や手首との密着化・一体化が図れず、手袋を介して物を握る把持力が弱くなり、フリーサイズ手袋を装着して作業を行う目的が達成できない。              
【課題を解決するための手段】
【０００６】
本発明は係る課題を解決するために、弾性体で作られた手首環、又は、マジックテープ（登録商標）等で手首太さに合せて周囲長さ変えることのできる手首環を、フリーサイズ手袋装着後、フリーサイズ手袋の手首部に嵌め、前記手首環と一体になった輪状ゴムを、指の付け根部に係合させフリーサイズ手袋と手指や手首との密着化・一体化を図る緊諦具に関する。  
【発明の効果】
【０００７】
本発明の手袋用緊諦具は、手指に合わないフリーサイズの手袋に使用でき、手袋と手指や手首との密着化・一体化が図れ、フリーサイズ手袋を介して物を握る把持力が強くなり、フリーサイズ手袋を装着しての作業が容易になる。  
【図面の簡単な説明】
【０００８】
【図１】フリーサイズ手袋を装着し緊諦具で密着させた図
【図２】緊諦具の一例
【図３】フリーサイズ手袋
【符号の説明】
【０００９】
１は手首部  ２は親指  ３は人差し指  ４は中指  ５は薬指  ６は小指  ７は手首環    ８、９、１０は輪状ゴム  １１はフリーサイズ手袋
【発明を実施するための形態】
【００１０】
以下、本発明の実施形態について説明する。
フリーサイズ手袋を装着後、フリーサイズ手袋の上から手首部に手首環７を手首部１に嵌める。手首環は、両端にマジックテープ（登録商標）等で手首太さに合せて周囲長さ変えることのできるテープ状のものであっても良いし、輪状ゴム等であっても良い。
【００１１】
次に、手首環７と一体になった輪状ゴム８、９、１０をそれぞれ小指６、中指４、親指２にゴムを伸ばしながら引っ掛け、指の付け根部に係合させることで、フリーサイズ手袋と手指、手首との密着化・一体化が図れ、フリーサイズ手袋を介して物を握る把持力が強くなり、フリーサイズ手袋を装着して行う作業が容易になる。
【００１２】
図１では、輪状ゴムは３本であるが中指４の1本への係合でも効果があり、また、５本とし、すべての指の付け根部に係合させることで、フリーサイズ手袋と手指、手首との密着化・一体化が増し、フリーサイズ手袋を介して物を握る把持力が更に強くなり、フリーサイズ手袋を装着しての作業がより容易になる。
【図１】
2014019965.tif 000003
【図２】
2014019965.tif 000004
【図３】
2014019965.tif 000005
(57)【要約】【課題】  幼児の水遊びに適した浮力調整可能な浮袋が装着された水着を提供することである。【解決手段】  水着部分（１２）の首回り部及び／又は肩部に取り付けられた複数の浮袋（１４ａ、１４ｂ、１４ｃ、１４ｄ、１４ｅ、１４ｆ、１６ａ、１６ｂ、１６ｃ、１６ｄ、１６ｅ、１６ｆ、１８ａ、１８ｂ）を備え、複数の浮袋が、互いに独立しており、各々の浮袋に別個に空気を入れたり、所望の浮袋のみから空気を抜いたりすることができるように構成されていることを特徴とする浮袋付き水着（１０）が提供される。【選択図】  図１
2014019985.tif 000002
【特許請求の範囲】
【請求項１】
水着部分の首回り部及び／又は肩部に取り付けられた複数の浮袋を備え、
前記複数の浮袋が、互いに独立しており、各々の浮袋に別個に空気を入れたり、所望の浮袋のみから空気を抜いたりすることができるように構成されていることを特徴とする浮袋付き水着。
【発明の詳細な説明】
【技術分野】
【０００１】
本発明は、浮力調整可能な浮袋が装着された水着に関する。
【背景技術】
【０００２】
未だ泳げない幼児は、浮輪や浮袋を使用して、泳ぎの練習をしたり、水遊びをしたりする。このような際に使用される浮輪や浮袋は、リング状のものや救命胴衣型のもの等、種々多様な形式のものが市販され、用いられている。
【発明の開示】
【発明が解決しようとする課題】
【０００３】
しかしながら、救命胴衣型のものでは、腹部が浮いてしまうため、水遊びには、必ずしも適していない。また、水慣れの程度に応じて浮力を調整できれば理想的であるが、そのような配慮がなされた水着は見受けられない。
【０００４】
本発明は、このような現状に鑑みて開発されたものであって、幼児の水遊びに適した浮力調整可能な浮袋が装着された水着を提供することである。
【課題を解決するための手段】
【０００５】
本願請求項１に記載の浮袋付き水着は、水着部分の首回り部及び／又は肩部に取り付けられた複数の浮袋を備え、前記複数の浮袋が、互いに独立しており、各々の浮袋に別個に空気を入れたり、所望の浮袋のみから空気を抜いたりすることができるように構成されていることを特徴とするものである。
【発明の効果】
【０００６】
本発明の浮袋付き水着によれば、浮輪を使用しなくとも、安全に水遊びをしたり、泳ぎの練習をしたりすることができる。また、本発明の浮袋付き水着は、浮輪のように腹部に浮力が生ずるのではなく、首回りや肩部に浮力が生ずるので、幼児の水遊びに適している。また、本発明の浮袋付き水着では、浮力を調整することができるので、水慣れの程度に応じて、所望の浮力にして使用することができる。さらに、完全に水に慣れて泳げるようになった場合には、浮袋に空気を入れなければ、通常の水着としても使用することができる。
【図面の簡単な説明】
【０００７】
【図１】図１は、本発明の好ましい実施形態に係る浮袋付き水着の全体を示した図である。
【図２】図２は、図１の浮袋付き水着において浮袋のみを取り出して示した図である。
【図３】図３は、図１の浮袋付き水着の使用態様を模式的に示した図である。
【発明を実施するための形態】
【０００８】
次に図面を参照して、本発明の好ましい実施の形態に係る浮袋付き水着について詳細に説明する。図１は、本発明の好ましい実施の形態に係る浮袋付き水着を示した全体図、図２は、図１の浮袋付き水着において浮袋のみを取り出して示した図である。図１において全体として参照符号１０で示される本発明の好ましい実施の形態に係る浮袋付き水着は、水着部分１２の首回り部と肩部に取り付けられた複数の浮袋を備えている。
【０００９】
より詳細に説明すると、図１及び図２に示される例では、水着部分１２の首回り部に、筒状の第１の浮袋１４ａ、１４ｂ、１４ｃ、１４ｄ、１４ｅ、１４ｆが装着されており、水着部分１２の肩部に、細長い第２の浮袋１６ａ、１６ｂ、１６ｃ、１６ｄ、１６ｅ、１６ｆが装着されており、水着部分１２の首回り部の前側に、リボン状の第３の浮袋１８ａ、１８ｂが装着されている。
【００１０】
これらの浮袋１４ａ〜１４ｆ、１６ａ〜１６ｆ、１８ａ、１８ｂは、互いに独立しており、各々の浮袋に別個に空気を入れたり、所望の浮袋のみから空気を抜いたりすることができるようになっている。浮袋１４ａ〜１４ｆ、１６ａ〜１６ｆ、１８ａ、１８ｂには、それぞれ空気出入口１４ａ１〜１４ｆ１、１６ａ１〜１６ｆ１、１８ａ１、１８ｂ１が設けられている。
【００１１】
なお、浮袋１４ａ〜１４ｆ、１６ａ〜１６ｆ、１８ａ、１８ｂは、通常の浮袋と同様な材料で形成してよい。また、空気出入口１４ａ１〜１４ｆ１、１６ａ１〜１６ｆ１、１８ａ１、１８ｂ１の構造は、通常の浮袋に設けられているような空気出入口と同様の構造にしてよい。
【００１２】
次に、以上のように構成された浮袋付き水着１０の使用法について説明する。浮袋付き水着１０を幼児に着用させる。その際、幼児の水慣れの程度に応じて、浮袋の浮力を調整する。例えば、幼児が未だ水慣れしていない場合には、浮袋１４ａ〜１４ｆ、１６ａ〜１６ｆ、１８ａ、１８ｂの全てに空気を入れる。或いは、幼児が少し水慣れしている場合には、浮袋の一部（例えば、浮袋１８ａ、１８ｂ）に空気を入れない。このようにして、浮袋付き水着１０を使用して、徐々に浮力を少なくしていけば、安全面に配慮しつつ、幼児の泳ぎの練習にもなる。最終的に、幼児が泳げるようになり、浮袋が不要になれば、全ての浮袋に空気を入れないで使用することも可能である。
【００１３】
図３（ａ）は、幼児が浮袋付き水着１０を装着して水遊びをしている状態を示した模式図である。幼児が水中で足を滑らしたとしても（図３（ｂ））、浮袋付き水着１０を装着していれば、首回り部、肩部に浮力が生じているので、安全である。
【００１４】
本発明は、以上の発明の実施の形態に限定されることなく、特許請求の範囲に記載された発明の範囲内で、種々の変更が可能であり、それらも本発明の範囲内に包含されるものであることはいうまでもない。
【００１５】
たとえば、前記実施形態では、首回り部と肩部に浮袋が取り付けられているが、首回り部と肩部のいずれか一方にのみ、浮袋を取り付けてもよい。また、前記実施形態では、３種類の浮袋が示されているが、これは例示的なものにすぎず、浮袋の形状及び個数は、適宜変更することができる。
【符号の説明】
【００１６】
１０  浮袋付き水着
１２  水着部分
１４ａ〜１４ｆ  浮袋
１４ａ１〜１４ｆ１  空気出入口
１６ａ〜１６ｆ  浮袋
１６ａ１〜１６ｆ１  空気出入口
１８ａ、１８ｂ  浮袋
１８ａ１、１８ｆ１  空気出入口
【図１】
2014019985.tif 000003
【図２】
2014019985.tif 000004
【図３】
2014019985.tif 000005
(57)【要約】【課題】  蹄鉄の装着を安易にする蹄鉄装着方法を提供する。【解決手段】  ねじによりひずめに蹄鉄を装着することによって装着作業を容易にし、蹄鉄の脱落を改善した蹄鉄装着方法。【特許請求の範囲】
【請求項１】
ひずめへの蹄鉄の装着をねじによっておこなう蹄鉄装着方法。
【発明の詳細な説明】
【技術分野】
【０００１】  本発明は蹄鉄をひずめに装着する方法に関するものである。
【背景技術】
【０００２】  従来、蹄鉄をひずめに装着するには蹄鉄をひずめに釘で打ち込んでいた。
【発明の概要】
【発明が解決しようとする課題】
【０００３】  そのために次のような問題点があった。
（イ）ひずめへの釘の打ち込み作業は繊細で長年の経験を要し、装着後も脱落する心配があった。
本発明は、以上の問題点を解決しようとするものである。
【課題を解決するための手段】
【０００４】  蹄鉄をねじでひずめに装着することにより繊細な作業が軽減され、装着後の脱落も改善されるねじによる蹄鉄装着方法。
【発明の効果】
【０００５】  蹄鉄の装着作業が容易になり、また、蹄鉄が脱落しにくい。
(57)【要約】      （修正有）【課題】口当たりが良く、香ばしく、また植物繊維を取り入れたパン及び麺製品を提供する。【解決手段】麦又は米を煎ることにより、香ばしくなり、また、その麦や米を粉砕する場合に容易に粉砕が可能であり、より小さい粉になるので、該粉砕物を添加したパン及び麺製品は、口当たりが良く香ばしい製品となる。また麦、米の外皮もともに粉砕物に含まれるので、該粉砕物を添加したパン及び麺製品は、植物繊維量が増し、消化を助け便通が改善する。またパン等は焼き上げて暫くするとパサパサとした食感で食べずらいが、煎米、煎麦等、を混ぜ合わせることにより、相当改善できる。【選択図】なし【特許請求の範囲】
【請求項１】
麦又は米を煎りそれを粉砕して、粕粉状になった粉と小麦粉又は米粉を混ぜ合わせて、パン及び麺製品を製造しようとするにある。
【発明の詳細な説明】
【発明の詳細な説明】
本発明は、麦又は米を煎ることにより、香ばしくなり、また、その麦や米を粉砕する場合に容易に粉砕が可能であり、より小さい粉になり、口当たりが良く香ばしい製品が出来る。又麦、米の外皮も食べるので、植物繊維を取り入れて消化を助け便通が改善する。またパン等は焼き上げて暫くするとパサパサとした食感で食べずらいが、煎り麦を混ぜ合わせることにより相当改善できる。
(57)【要約】 【課題】  玄関のドアの内側などに印鑑を磁石で付けておくことで、すぐに認め印を押す事が出来るようにする。【解決手段】  インク浸透式印鑑に磁石を接着する、もしくは、インク浸透式印鑑の本体の一部を磁石にすることで、インク浸透式印鑑を玄関のドアの内側などに簡単に付けておくことができるようにする。金属製でないドアなどには、金属板をシールで貼り付けることで、磁石付き印鑑が付けられるようにする。また、磁石の位置を目印にして、印鑑を押す向きがわかるようにする。【選択図】  図１
2014200985.tif 000002
【特許請求の範囲】
【請求項１】
印鑑に磁石を付けた、磁石付き印鑑。
【発明の詳細な説明】
【技術分野】
【０００１】
本発明は、インク浸透式印鑑に磁石を付けた磁石付き印鑑に関するものである。
【背景技術】
【０００２】
従来、印鑑に磁石は、付いていなかった。
【先行技術文献】
【非特許文献】
【０００３】
【非特許文献１】実用新案公開平０５−０７２９４５  磁石付き粘着テープ
【発明の概要】
【発明が解決しようとする課題】
【０００４】
従来、玄関で認め印を押す際に、印鑑を取りに行ったり、探したりする手間がかかった。  
本発明は、それらの不便を解消するためのものである。
【課題を解決するための手段】
【０００５】
インク浸透式印鑑本体に磁石を接着する、もしくは、本体の一部を磁石にすることで、
簡単に金属製のドアの内側などに、付けておくことが出来る。
【０００６】
また、金属製でないドアなどには、金属板を相手側にシールで貼り付けることによって
磁石付き印鑑を付けることが出来るようになる。
【０００７】
また、磁石の位置を目印にして、印鑑を押す向きがわかるようにする。
【発明の効果】
【０００８】
玄関で、認め印を押す時に、印鑑を探す手間がはぶける。また、訪問者を待たせること
なく、すぐに、認め印を押すことが出来る。
【図面の簡単な説明】
【０００９】
【図１】本発明の斜視図である。斜線部分が、磁石になっている。
【発明を実施するための形態】
【００１０】
インク浸透式印鑑の本体部分に磁石を接着する、もしくは、本体の一部を磁石にすること
により、簡単に金属製の玄関ドアの内側などに付けておくことが出来る。
これによって、認め印を求められた時に、すぐに、印鑑を外して使用することが出来る。
【００１１】
磁石の位置を印鑑の上側にすることで、印鑑の向きを正しく押す事が出来る効果もある。
【００１２】
金属製でないものに付けたい時には、シールの付いた金属板を貼り付けることによって、
その金属板に、磁石付き印鑑を、簡単に付けたり外したりする事が出来るようになる。
【図１】
2014200985.tif 000003
(57)【要約】【課題】従来ニンニクの皮をむくのにゴム又は樹脂状の袋に入れもみしごいて皮をむく方法あった。これだと大量にむけないし指も疲れ効率が悪かった。【解決手段】切断部と排出口を設けた内面が皮むき面である、皮むきボウルに取っ手を取り付ける構成にした。この取っ手を振ることによりニンニク片が皮むき面に衝突、跳ね返ることにより皮がむけるため大量に効率よく皮がむける皮むき器を提供できる。【選択図】図６
2014200667.tif 000002
【特許請求の範囲】
【請求項１】
振動させ、野菜、果物の表皮をむく皮むき器であって内面が多面体状の皮をむく皮むき面である皮むきボウルを具備することを特徴とする皮むき器
【請求項２】
前記皮むき面が球面体状である皮むきボウルを具備することを特徴とする請求項１記載の皮むき器
【請求項３】
前記皮むきボウルに野菜、果物を切断する切断部を取り付けることを特徴とする請求項１または請求項２記載の皮むき器
【請求項４】
前記皮むきボウルに被皮むき具材を排出する排出口を具備することを特徴とする請求項３記載の皮むき器
【請求項５】
前記皮むきボウルに少なくとも１つ以上の取っ手を備えることを特徴とする請求項４記載の皮むき器
【発明の詳細な説明】
【技術分野】
【０００１】  本発明はニンニクや他の野菜や果物から薄い皮をむくことに適した皮むき器に関する。
【背景技術】
【０００２】  ニンニクと様々な種類の果物、野菜の皮をむくために本発明による器具が使用されるが、ここではそのような果物  野菜のすべての総体としてニンニクと表記される。【０００３】  従来ニンニクの皮をむくものとしてゴム又は樹脂状の袋にニンニク片を入れもみしごくことにより皮を取るもの（例えば特許文献１参照）
【特許文献１】  特開２００４−１２１５７５
【発明の開示】
【発明が解決しようとする手段】
【０００４】  以上に述べた従来の皮むき器では指が疲れ効率が悪いものであった。
【０００５】  本発明はこのような従来の構成が有している問題を解決しようとするものであり、皮を効率よくことを目的とする
【課題を解決するための手段】
【０００６】  そして本発明は上記目的を達成するために皮むきボウルと切断部、皮なしニンニク片のみを排出する排出口を設け、ニンニク片を皮むき面に衝突させるために振る取っ手を取り付けたものである。
【発明の効果】
【０００７】  上述したように本発明の皮むき器は指が疲れることなく効果的にむける皮むき器を提供できる。
【本発明の実施するための最良の形態】
【０００８】  以下本発明の実施の形態を図１〜図７に基づいて説明する。
【０００９】  図において１は皮むきボウル、１ａはフタ  １ｂは底、１ｃは皮むき面でフタ１ａの裏面も同様である。
【００１０】  ２は切断部で切断刃２ａと具材置２ｂで構成されている。
【００１１】  ３は排出口で、フィルター３ａが取り付けられ、ニンニク皮５ｃを通さず、皮なしニンニク片５ｂのみ通す。
【００１２】  ４は取っ手であり片手でも図７のように両手式でもかまわない。
【００１３】  以下上記構成の動作を説明する。具材置２ｂにニンニク５を置き、切断刃２ａで根元と葉を切断し具材置２ｂを皮むきボウル１に押し込む。取っ手４を持ち図６のように振ることによりニンニク片５ａが皮むき面１ｃに衝突し、跳ね返る際に皮むき面１ｃとの摩擦により皮がむける、皮むき面１ｃは凸凹状でも粘着状、その他、形  材質は問わない。皮をむかれた皮なしニンニク片５ｂはフィルター３ａにより皮５ｃと分離され排出口３より排出される。皮５ｃが大量に増えた場合、フタ１ａを開け取り除く。
【００１４】  以上の形態によればニンニクの皮むきが効率よく大量にできるものである。
【図面の簡単な説明】
【００１５】
【図１】  本発明の実施形態を示す皮むき器の横面図
【図２】  同皮むき器の後方から見た外観図
【図３】  同皮むきのフタを外した図
【図４】  同切断部のＡ−Ａ線断面図
【図５】  同排出口のＢ−Ｂ線断面図
【図６】  同皮むき器実施図Ｃ−Ｃ線断面図
【図７】  同取っ手  両手用図
【符号の説明】
【００１６】  １    皮むきボウル
１ａ  フタ
１ｂ  底
１ｃ  皮むき面
２    切断部
２ａ  切断刃
２ｂ  具材置
３    排出口
３ａ  フィルター
４    取っ手
５    ニンニク
５ａ  ニンニク片
５ｂ  皮なしニンニク片
５ｃ  皮
【図１】
2014200667.tif 000003
【図２】
2014200667.tif 000004
【図３】
2014200667.tif 000005
【図４】
2014200667.tif 000006
【図５】
2014200667.tif 000007
【図６】
2014200667.tif 000008
【図７】
2014200667.tif 000009
(57)【要約】      （修正有）【課題】便秘になる人はたくさんいる。つまっている本人自ら固り便を破壊する器具を提供する。【解決手段】円筒である本体と、ソーセージ様の肛門差込誘導部により成り、円筒の中にソーセージ様を収め、ソーセージ様が先頭に少し顔を出している。ぬるぬる剤をソーセージ様に付けて、肛門にすべらせる。本体が固り便に突きささり、ごりごり回して先端で固りを削り取る。本体に、つばを付けて、一定以上に深く入らないようにして安全を確保する。【選択図】図１
2014200666.tif 000002
【特許請求の範囲】
【請求項１】
円筒である本体とソーセージ様の肛門差込誘導部より成る。
【請求項２】
本体さし込み先頭端外周は、少しふくらんで丸くなっている。
【請求項３】
安全用のつばが付いている。
【請求項４】
Ｕ字針金出し入れ型
【発明の詳細な説明】
【技術分野】
【０００１】  保健器機、老人健康
【背景技術】
【０００２】  便秘に対する薬を使っている。薬は使わない方がいい。単純に固りを破壊する方がいい。
【発明の開示】
【発明が解決しようとする課題】
【０００３】  簡単な方法で便秘に対処する。家庭でも対処出来る。つまっている本人が、直接対応出来れば一番いい。
【課題を解決するための手段】
【０００４】  本品は、本体と肛門差込誘導部より成る。本体は刃が付いた円筒である。
さし込み誘導部は、ソーセージの様な形状をしている。以後ソーセージと呼ぶ。
円筒の中に、ソーセージを収め、ソーセージが、差込先頭に少し頭を出している。【０００５】  ぬるぬる剤を、ソーセージに付けて、ソーセージ後端を押して、肛門に滑らせる。うまく入ったら、ソーセージを後方に引っぱって移動する。刃が出る。
本体を固り便に突き立てる。本体外周と刃が固り便に突きささり、固り便を砕く。回転、首振り、すりこぎで削り取る。【０００６】固りが崩れたら、本体を抜く。抜いたら、本品のソーセージを押して元に戻す。くそが水に落ちる。使い終った本体は油断出来ないので、袋に入れる。
【発明の効果】
【０００７】  老人は詰まる人が多い。老人必須のアイテムである。何回も、つまる人は本品を家庭に置いておくと、すぐ使える。つまると気分が悪い、抜けると気分が晴れる。工業的には、極めてローテクである。
【発明を実施するための最良の形態】
【０００８】  本体は、刃が付いた円筒である。十字型をしている４枚刃が、本体さし込み先端部内側に、刃方向が外側を向いて、付いている。さし込み先頭端外周は、少し厚く、丸くなっている。さし込み誘導部は、ソーセージに長さ方向に円断面を９０°４等分した切れ目を途中まで入れた様な合好をしている。
本品は、焼やしてもいいプラスチック、ゴム等で実現する。【０００９】  本体の適切な位置に、フランジを付けて、安全装置とする。ある程度動かせる。本体の太さを、途中で急に太くしてもいい。【００１０】  本品は、刃本体固定式、刃本体別動式がある。刃型の様式は、無刃、１，２枚刃、刃少し突出型、中心の欠けた十字型、ぎざぎざ付、くの字針金、Ω型針金、円周針金少し突出  等がある。【００１１】別動式としては、電動スクリュー型がいい。Ｕ字針金を手動で出し入れする方法もある。別動式は本体より刃が飛び出すので、本体は軸方向から傾けてはだめである。【００１２】本体先頭部に、小孔を開けて、そこからぬるめる多糖体を吹き出させて、回転の滑りを良くする方法。本体後方にぬるめる剤を入れる部屋を設ける。本体内側に、小経管を長さ方向に、はわせる。部屋と小孔を小経管で結ぶ。
部屋に、ピストンを設けて、ピストンを押して、ぬるぬるを先頭に吹き出させる。【００１３】中心の欠けた十字型、くの字針金を図に示す。
【図１】
2014200666.tif 000003
【手続補正書】
【提出日】平成25年6月17日(2013.6.17)
【手続補正１】
【補正対象書類名】明細書
【補正対象項目名】全文
【補正方法】変更
【補正の内容】
【発明の詳細な説明】
【技術分野】
【０００１】  保健器機、老人健康
【背景技術】
【０００２】  便秘に対する薬を使っている。薬は使わない方がいい。単純に固りを破壊する方がいい。
【発明の開示】
【発明が解決しようとする課題】
【０００３】  簡単な方法で便秘に対処する。家庭でも対処出来る。つまっている本人が、直接対応出来れば一番いい。
【課題を解決するための手段】
【０００４】  本品は、本体と肛門差込誘導部より成る。本体は刃が付いた円筒である。
さし込み誘導部は、ソーセージの様な形状をしている。以後ソーセージと呼ぶ。
円筒の中に、ソーセージを収め、ソーセージが、差込先頭に少し頭を出している。【０００５】  ぬるぬる剤を、ソーセージに付けて、ソーセージ後端を押して、肛門に滑らせる。うまく入ったら、ソーセージを後方に引っぱって移動する。刃が出る。
本体を固り便に突き立てる。本体外周と刃が固り便に突きささり、固り便を砕く。回転、首振り、すりこぎで削り取る。【０００６】固りが崩れたら、本体を抜く。抜いたら、本品のソーセージを押して元に戻す。くそが水に落ちる。使い終った本体は油断出来ないので、袋に入れる。
【発明の効果】
【０００７】  老人は詰まる人が多い。老人必須のアイテムである。何回も、つまる人は、本品を家庭に置いておくと、すぐ使える。つまると気分が悪い、抜けると気分が晴れる。工業的には、極めてローテクである。
【発明を実施するための最良の形態】
【０００８】  本体は、刃が付いた円筒である。十字型をしている４枚刃が、本体さし込み先端部内側に、刃方向が外側を向いて、付いている。さし込み先頭端外周は、少し厚く、丸くなっている。さし込み誘導部は、ソーセージに長さ方向に円断面を９０°４等分した切れ目を途中まで入れた様な合好をしている。
本品は、焼やしてもいいプラスチック、ゴム等で実現する。【０００９】  本体の適切な位置に、フランジを付けて、安全装置とする。ある程度動かせる。本体の太さを、途中で急に太くしてもいい。【００１０】  本品は、刃本体固定式、刃本体別動式がある。刃型の様式は、無刃、１，２枚刃、刃少し突出型、中心の欠けた十字型、ぎざぎざ付、くの字針金、Ω型針金、円周針金少し突出等がある。【００１１】  別動式としては、電動スクリュー型がいい。Ｕ字針金を手動で出し入れする方法もある。別動式は本体より刃が飛び出すので、本体は軸方向から傾けてはだめである。【００１２】  本体先頭部に、小孔を開けて、そこからぬるぬる多糖体を吹き出させて、回転の滑りを良くする方法。本体後方にぬるぬる剤を入れる部屋を設ける。本体内側に、小径管を長さ方向に、はわせる。部屋と小孔を小径管で結ぶ。
部屋に、ピストを設けて、ピストンを押して、ぬるぬるを先頭に吹き出させる。【００１３】  中心の欠けた十字型、くの字針金を図に示す。
【図面の簡単な説明】
【００１４】
【図１】中心の欠けた十字型、くの字針金を表す図である。
(57)【要約】      （修正有）【課題】卓球での技術練習の一つである相手方を必要とするラリー練習を、跳ね返し板を置くことで、単独で行える練習具を提供する。【解決手段】自分コート１の任意位置からの相手コート２への打球が、跳ね返し板によって跳ね返り、自分コート１の打球位置に戻ってくることを条件とする。自分コート１からの打球点１４と相手コート２の返球点を半径とする円弧を持つ跳ね返し板を相手コート端に置くことで、打球が自分コート１の打球位置に戻るようにした。【選択図】図２
2014200662.tif 000002
【特許請求の範囲】
【請求項１】
卓球に於いて，自分コートの任意の打球点と相手コートの打ち返し点を半径とした円弧の曲面を持つ跳ね返し板を相手コートの端に置き、自分コートから相手コートへの任意打球を跳ね返し、自分コートに返球する卓球練習用跳ね返し板。
【発明の詳細な説明】
【技術分野】
【０００１】  卓球の技術向上の為の練習具に関わる。
【背景技術】
【０００２】  卓球の基本練習には、（１）相手と交互に打ち合う所謂ラリー練習、（２）相手が次々と球出しをしてくれるボールを打つ多球練習、（３）球を次々と送り出し配給する機械による練習方法等がある。【０００３】  卓球の基本練習の中でさらに習熟する過程で、前項（１）及び（２）の練習は欠かせない練習方法である。しかし必ず相手が必要であり、且つ未熟な状態での打球を正確に自分コートに打ち戻してくれるには、相手の技術レベルの高いことが条件となる。また、機械による連続配給では、ラリー練習をすることは出来ない。
【発明の概要】
【課題を解決しようとする課題】
【０００４】  卓球の技術習得には必ず相手が必要で、相手の技術レベルの高いことが条件となる。
相手を不用とし、一人でラリー練習を出来ないかということを課題とした。
【発明が解決しようとする手段】
【０００５】  次のような機能の練習具を作り出すことで、本発明の目的を達成する手段とした。
（１）卓球台の相手コート端に跳ね返し板を置く。ボールが直進したとき、跳ね返し板は打球に対して垂直面であれば打球方向に戻ることになる。
（２）卓球台を平面位置で見たとき、自分コートからの任意角度打球が、前記（１）の条件を満たす跳ね返し板は、自分コートの打球点から相手コートの跳ね返し点の距離を半径とした円弧状曲面であればよい。
（３）前記（２）の条件の跳ね返し板を製作し、相手コート端に置く。左右水平方向のみの対応とした円弧曲面を持つ長方形状。及び上下、左右の全方向への対応を考えた円弧球面状の跳ね返し板を考えた。
（４）また、卓球台を側面位置から見て、跳ね返し板が卓球台に対して垂直の場合は、打球の相手コートでのバウンド位置が跳ね返し板に近いと跳ね返り角度が小さくなり返球が自分コートまで戻らないので、上向きのアオリ角度とする必要がある。
【発明の効果】
【０００６】  打球したボールが相手コート端に置かれた跳ね返し板によって跳ね返り自分コートに戻るので、一人でラリー練習が出来る練習具である。跳ね返し板の木の材質の選択やラバーの貼付け等により跳ね返りの状態を加減することが出来る。また、跳ね返り板にランダムな突起を設けることで、変化返球が得られるなど応用の範囲が広い練習具となった。
【図面の簡単な説明】
【０００７】
【図１】は、本発明に於ける打球点と跳ね返し板との関係平面図
【図２】は、本発明に於ける円弧曲面の跳ね返し板と打球との関係平面図
【図３】は、本発明に於ける打球のバウンド軌跡と跳ね返し板との関係側面図
【図４】は、本発明に於ける角形跳ね返し板
【図５】は、本発明に於ける円盤形跳ね返し板
【図６】は、本発明に於ける実施例
【発明を実施するための形態】
【実施例】  本発明の実施例を図について説明する。【０００８】  図１は、本発明に於ける打球点と跳ね返し板との関係平面図である。打球の回転及びバウンドによる方向変化が無く、打球が直進したと考える。打球５の位置からの打球軌跡７は相手コート２でバウンド後、跳ね返し板１１に当たり跳ね返る。跳ね返し板１１が平面で、打球軌跡７に対して垂直面であるとき、打球５は、打球軌跡７を戻り打球５の方向となる。打球５が任意角度１０をもったとき、打球軌跡８となり跳ね返し板１１による跳ね返りは、任意角度１０と同じ反射角度を持って跳ね返り、打球軌跡９となって返球６となる。打球５方向に返球する為には打球５の打球軌跡８に対し垂直方向の面を持つ跳ね返し板１２となる。【０００９】  図２は、本発明に於ける円弧曲面跳ね返し板と打球との関係平面図である。打球１４が様々な変化の任意角度１７をもって打球されたとき、打球１４は打球軌跡１６のように進み跳ね返し板１８によって跳ね返る。打球１４の方向に戻る条件は、跳ね返し板が常に打球に対して垂直面であること。則ち打球１４の位置と返球点との距離を半径とした円弧状跳ね返し板１８によって成し得る。【００１０】  図３は、本発明に於ける打球のバウンド軌跡と跳ね返し板との関係側面図である。例えば自分コート１の打球１９は、打球軌跡２０を描いてネット３を超えて相手コート２のバウンド点２４でバウンドし、跳ね返し板２３によって跳ね返る。跳ね返し板２３は卓球台に対しての垂直線２６に対しアオリ角２２の上向きの傾きがある。跳ね返った打球はネット３を超え自分コート１でバウンド点２５でバウンドし打球１９の位置へと戻る。跳ね返し板２３が卓球台に対し垂直の場合、例えば打球が跳ね返し板２３の近くのバウンド点２７でバウンドすると、打球軌跡２８となって跳ね返り返球が自分コートまで戻らないので、上向きのアオリ角２２を必要とする。【００１１】  図４は、本発明の水平方向のみ跳ね返し補正を行った円弧曲面を持つ長方形状跳ね返し板２９の図である。【００１２】  図５は、本発明に於ける円弧球面を持つ円盤形状跳ね返し板３０の図である。【００１３】  図６は、本発明に於ける長方形状跳ね返し板３１の卓球台取付け実施例の図である。アオリ機構３２と卓球台３４への取付け具３３が付属されている。
【産業上の利用可能性】
【００１４】  本発明は、卓球スポーツの技術習得の為の汎用器具として有用である。
【符号の説明】
【００１５】１自分コート  ２相手コート  ３ネット  ４卓球台  ５打球  ６返球  ７打球軌跡  ８打球軌跡  ９返球軌跡  １０任意角度  １１跳ね返り板  １２跳ね返し板  １３任意角度  １４打球点  １５打球軌跡  １６任意角打球軌跡  １７任意角度  １８円弧曲面状跳ね返し板  １９打球点  ２０打球軌跡  ２１返球軌跡  ２２アオリ角  ２３跳ね返し板  ２４バウンド点  ２５バウンド点  ２６垂直線  ２７バウンド点  ２８打球軌跡  ２９長方形状跳ね返し板  ３０円盤形状跳ね返し板  ３１長方形状跳ね返し板  ３２アオリ機構  ３３卓球台取付け具  ３４卓球台
【図１】
2014200662.tif 000003
【図２】
2014200662.tif 000004
【図３】
2014200662.tif 000005
【図４】
2014200662.tif 000006
【図５】
2014200662.tif 000007
【図６】
2014200662.tif 000008
(57)【要約】【課題】洋式便器において男性が便座を上げて小用を足す場合に、左右前面に小水が飛散して、左右の床、便器蓋等に撒き散らして汚すことがないようにする装置を提供する。【解決手段】便座と便器の間に小水飛散防止装置を取り付けて、小便時に便座を開くと左右には扇状の板が展開し、前面には左右から板が出てくることにより左右前面に小水飛散防止板が展開して、飛散した小水が便器外に撒き散らされることを防止する。【選択図】図４
2014200663.tif 000002
【特許請求の範囲】
【請求項１】
洋式便器の便座下部に装着し、男性小用時、側面及び前面に壁状の板が展開する小用飛散防止装置
【請求項２】
便器に（１）飛散防止装置下部を外れないように固定して（２）飛散防止装置上部を便座下部に装着する。
【請求項３】
男性小用使用時、便座を開くと（１）蛇腹状の板が左右に展開し（２）前面板が展開する。
【請求項４】
便座を上げると同時に左右側面に板状の壁が展開する。
【請求項５】
便座下部に取り付けたＵ字型収納装置の左右から前面の飛散防止板が展開する。
【発明の詳細な説明】
【技術分野】
【０００１】本発明は洋式便器において、便座を上げて男性が小用を足すときに、小水の飛散を防止するための装置に関する
【背景技術】
【０００２】洋式便器で男性が小用を足すとき、上げた便座と蓋の裏側が露出して、便器と便座の左右には空間が開いた。
【発明の概要】
【発明が解決しようとする課題】
【０００３】これまでの洋式便器には以下の欠点があった。
（１）便座を上げて男性が小用を足すとき便器と便座の間には空間が開いていたので、飛散した小水を左右の床、便器蓋裏、便座の裏等に撒き散らして汚してしまうことがあった。
（２）汚れた便器、左右の床等、毎回の清掃を余儀なくされた。
本発明はそれらの欠点をなくすためになされたものである。
【課題を解決するための手段】
【０００４】（１）Ｕ字型の収納ケースに前面跳ねだし用の板を左右に一枚ずつ取り付け、左右に、蛇腹状に折り目を付けた扇形の板を折りたたみ、Ｕ字型収納ケースに取り付ける。
（２）Ｕ字型収納ケースを、便座を取り外した洋式便器に外れないように固定して、その上に便座及び蓋を取り付け、Ｕ字型収納ケース上部を便座から外れないように取り付ける。
（３）本発明は以上のような構造で、これを使用するときは従来通り便座を上げると、便器に取り付けた蛇腹状の板が自動的に左右に展開し、便座側収納装置から前面防止板を、前面に展開して小用を足す。
【発明の効果】この装置を取り付けることにより、洋式便器での男性小用時、床、蓋裏等に撒き散らしていた小水が、便器と便座の間に展開した板によって防止されて、小水によって、便器の蓋裏、左右の床等を汚すことが軽減され、清掃の手間が大幅に減少する。
【図面の簡単な説明】
【図１】展開時の斜視図である。（符号付）
【図２】折りたたみ時の斜視図である。
【図３】展開時の分解斜視図である。
【図４】便器取り付け時の斜視展開図である
【符号の説明】［図１］
▲１▼左前壁
▲２▼右前壁
▲３▼便座取付用収納上蓋
▲４▼右前壁展開用つまみ
▲５▼左前壁展開用つまみ
▲６▼左側面壁
▲７▼右側面壁
▲８▼便座取付板
【発明を実施するための形態】
【実施例】
【０００１】本発明を実施するために便器から便座と蓋を取り外して、折りたたんだ状態の（図２参照）本発明品を取り付け、その上に便座と蓋を戻して、本発明品の裏側と便器を両面テープ等で取り付ける。さらに本発明品の便座取付用収納上蓋（図１−▲３▼参照）を両面テープ等で固定して、男性が小用を足すときに便座を上げることによって本発明品の使用を実施する（図４参照）【０００２】本発明を実施するにあたり本説明は、後取付型の説明であるが、製品化した時点で本発明を製品に組み込むことによって、便器取付用の収納ケースを無くして製品化することができ、より実用的な製品として本発明を実施することができる
【図１】
2014200663.tif 000003
【図２】
2014200663.tif 000004
【図３】
2014200663.tif 000005
【図４】
2014200663.tif 000006
(57)【要約】【課題】バーベキューコンロへの装着が簡単に出来、火の当たり具合の調節が出来る串焼き装置を提供する。【解決手段】バーベキューコンロの側壁に固定するために、装着プレート２を接合した中空体１１にＪ字型のボルト３を備え、串１３を差し入れるための筒６を備えたガイドパイプ５、串の傾斜角度の調節をするために設けられた円弧状のスリット１０が形成されているプレートＡ１２で、構成されていることを特徴とする。【選択図】図１
2014200661.tif 000002
【特許請求の範囲】
【請求項１】
中空体に固定プレートを接合し、貫通孔を設けＪ字型のボルトを差し込みコンロの側壁を挟み込んで固定する構造とした串焼き装置。
【請求項２】
串を差し入れるための筒、串の傾斜角度の調節をする時に持つ取手を備えたガイドパイプの位置を、熱源に対して中空体の外側横方向に距離を置いて、串を水平にしたときに、中空体に当たらない高さで、円弧状のスリットの、中心点となる位置にしていることを特徴とする。
【発明の詳細な説明】
【発明の詳細な説明】
【技術分野】
【０００１】本発明は、バーベキューコンロに装着が簡単に出来、熱源に対し串の傾斜角度の調節が出来る、串焼き装置に関するものである。
【背景技術】
【０００２】バーベキューコンロで串焼きをする場合、コンロに金網を載せて焼くか、コンロの縁に掛け渡して焼いていた。
【発明が解決しようとする課題】
【０００３】これは次のような欠点があった。バーベキューコンロに金網を載せて串焼きをすると、金網に付着し網目模様が付いたり、魚は皮がくっつき剥がれたりすることもあった。又、串も焼け焦げたり、金属製では触れなくなる位、高温になったりというような問題があった。薪を熱源にした場合、火加減の調整が出来ず串焼きは出来なかった。本発明は以上のような欠点をなくすためになされたものである。
【課題を解決するための手段】
【０００４】本発明の串焼き装置は、中空体に装着プレートを接合し貫通孔を設け、Ｊ字型のボルトを差し込み、バーベキューコンロ側壁を挟み込み蝶ネジにより固定する。
【０００５】プレートＡに串の傾斜角度の調節をするための、円弧状のスリットが設けられ、固定プレートとつまみ突起ネジで挟み込むことにより、串の傾斜角度を保持する。
【０００６】ガイドパイプに筒、取手、固定プレートを接合している。ガイドパイプの位置を、熱源に対して中空体の外側横方向に距離を置いて、串を水平にしたときに串が中空体に当たらない高さで、プレートＡの円弧状のスリットの中心点となる位置にしている。
本発明は以上のような構成よりなる。
【発明の効果】
【０００７】バーベキューコンロへ簡単に装着が可能で、熱源に対し水平から垂直方向まで容易に串の傾斜角度の調節ができ、早く焼きたい時には水平に、保温しておきたい時には垂直に立てて置くという具合に、火力調整が容易に出来る。本体の取り外しも簡単に出来るので、手軽に持ち運びをすることが可能である。
【０００８】又、野外では拾った小枝や落ち葉を熱源にしてバーベキューを楽しみたいもので、本発明の串焼き装置は、ガイドパイプの位置を、熱源に対して中空体の外側横方向に距離を置いて取り付けられているので、炭火だけにかぎらず火力調整が容易に出来ない薪などの熱源にもたいよう出来、串を持つ部分の過熱も避けられる。
【発明を実施するための形態】
【０００９】本発明の、串焼き装置に関する実施の形態を図面に基づいて説明する。図１は、本発明の串焼き装置の斜視図である。図２は、バーベキューコンロの側壁に固定した状態を示す断面図である。図３は、バーベキューコンロに装着した状態を示す斜視図である。
【実施例１】
【００１０】この発明に係る串焼き装置１は、バーベキューコンロ１５へ簡単に装着を可能にするため、中空体１１に装着プレート２を接合し、貫通孔１４を設ける。バーベキューコンロ側壁の上端に中空体１１を載せ、貫通孔１４にＪ字型のボルト３を差し込み、コンロ側壁を装着プレート２とで挟み、蝶ネジ４により固定する。バーベキューコンロ側壁の上端は、鉄板や金網等を載せるための折返し１６を、設けている物もあり、Ｊ字型のボルト３にすることにより、それらの形状に対応出来る。【００１１】プレートＡ１２には、水平から垂直まで、串１３の傾斜角度を調節するために円弧状のスリット１０が設けられており、火力調整が容易に出来、固定プレート８とつまみ突起ネジ９で挟み込むことにより、串の傾斜角度を保持する。【００１２】ガイドパイプ５には、串１３を差し入れるための筒６、串１３の傾斜角度の調節をする時に持つ取手７、角度を保持するための固定プレート８が接合されている。ガイドパイプ５の位置を、熱源に対して中空体１１の外側横方向に距離を置いて、串１３を水平にしたときに中空体１１に当たらない高さで、円弧状のスリット１０の中心点となる位置にしている。これは熱源に、薪等を燃やして使用したとき、炎で焼き過ぎない様にしたものである。よって熱源を炭火だけにかぎらず、火力調整が容易に出来ない薪等も使用出来、串をもつ部分の過熱も避けられる。
【実施例２】
【００１３】実施例１で示した串焼き装置を、バーベキューコンロの両側に装着することにより、中空体に金網や鉄板等を水平に載せる事が出来、串焼き以外の熱源にも使用できる。
【図面の簡単な説明】
【図１】本発明の串焼き装置の斜視図
【図２】コンロ側壁に固定した状態の断面図
【図３】コンロに装着した状態の斜視図
【符号の説明】１串焼き装置
２装着プレート
３Ｊ字型のボルト
４蝶ネジ
５ガイドパイプ
６筒
７取手
８固定プレート
９つまみ突起ネジ
１０スリット
１１中空体
１２プレートＡ
１３串
１４貫通孔
１５バーベキューコンロ
１６折返し
【図１】
2014200661.tif 000003
【図２】
2014200661.tif 000004
【図３】
2014200661.tif 000005
(57)【要約】【課題】  埃が付着した被清掃面部をブラシかけする際、ブラシに近接した吸込みノズルで埃を吸込むと同時に、ブラシ付近に飛散した浮遊埃も吸取ってしまうことを提供する。【解決手段】  引張りばねの一端部にブラシを植設し、且つ、吸込みノズルを設けた植毛台に係止、該ばねの他端部は管体の一端部に係止、更に該管体の他端部は掃除機に連結できる掃除機側ホース差込口を設けた管台に挿着し、吸込みノズルと引張りばねの内径で形成する通気孔、管体の通気孔、本体に設けた通気孔とが一連して連通して構成する。【選択図】図２
2014200643.tif 000002
【特許請求の範囲】
【請求項１】
引張りばね３の一端部に、ブラシ２を植設し、且つ、吸込みノズル４を設けた植毛台１を係止、該引張りばね３の他端部は管体５の一端部に係止、該管体５の他端部は掃除機側ホース差込口９を有する管台６に装着し、吸込みノズル４と引張りばね３の内径で形成する通気孔８ａ、管体５の通気孔８ｂ、管台６の通気孔８ｃとが一連して連通して構成する電気掃除機用ブラシ付ノズルアタッチメント。
【発明の詳細な説明】
【技術分野】
【０００１】  本発明は、ブラシをかける際、埃が付着した被清掃面部にブラシをかける際、飛散する埃を有効的に吸込む掃除機用ブラシ付ノズルアタッチメントに関する。
【背景技術】
【０００２】  下記特許文献には、可曲筒で構成した多数の吸口管を設け、該吸口管の先端に隣接する部位の横方向にブラシを植設する突出部を設けた電気掃除機用ブラシ吸口が提示されている（特許文献１）。
【先行技術文献】
【特許文献】
【０００３】
【特許文献１】実用新案公開平７−１２０５１号公報
【発明の概要】
【発明が解決しようとする課題】
【０００４】  実用新案公開平７−１２０５１号公報に係る考案は一端を電気掃除機の吸込ホースに連結し、他端を略長方形状の開口となした本体の該開口に蓋体を嵌着し、更に蓋体に可曲筒で構成した多数の吸込管を本体内に連通するように取り付け、吸込管の先端開口に隣接する部位の横方向に突出する突出部を夫々設け、該突出部にブラシを植設している。【０００５】  上述した特許文献１の考案は、埃が付着した被清掃面部をブラシかけする際、被清掃面部直近の埃のみを先端部付近に設けてある開口部を吸込口として吸込む。このため、ブラシかけする際、どうしても吸込口に近い埃を優先的に吸い込んでしまい、ブラシかけする際に発生する飛散埃を吸込み難い。【０００６】  本発明は、上述した技術背景に鑑みてなされたもので、その目的はブラシに近接したノズルで埃を吸込むと同時に、ブラシ付近に飛散して浮遊する埃をも吸取ってしまうことを提供する掃除機用ブラシ付ノズルアタッチメントである。
【課題を解決するための手段】
【０００７】  上記課題を解決するために、請求項１記載にかかる掃除機用ブラシ付ノズルアタッチメントは、次のように構成した。【０００８】  請求項１：引張りばねの一端部にブラシを植設し、且つ、吸込みノズルを設けた植毛台に係止、該ばねの他端部は管体の一端部に係止、更に該管体の他端部は掃除機に連結できるホース差込口を設けた管台に挿着し、吸込みノズルと引張りばねの内径で形成する通気孔、管体の通気孔、本体に設けた通気孔とが一連して連通して構成する。
【発明の効果】
【０００９】  本発明にかかる掃除機用ブラシ付ノズルアタッチメントは、埃が付着した被掃除面部をブラシかけする際、方向の如何に関わらず植設したブラシの中央部に設けたノズルにより埃を吸込むと同時に、引張りばねの弾力性を利用して植毛台が自在に可動することにより、引張りばねが湾曲状態で発生する隙間から周りの浮遊埃を吸取ってしまうことができ、吸込み範囲が広がり作業効率が向上する。【００１０】  更に本発名の掃除機用ブラシ付ノズルアタッチメントにおいて、該アタッチメントを複数個設けた場合、中央部を周りのアタッチメントより突き出して設けることにより、ブラシが当たる角度の如何に関わらず被掃除面部に幅広く接し、且つ、天井と壁面コーナーの隅々まで掃除が行い得る利点がる。
【発明を実施するための形態】
【００１１】  以下、本発明の一実施例形態につき図面を参照しながら述べる。
【００１２】  図１、図２においては本発名に係る掃除機用ブラシ付ノズルアタッチメントを数箇所設けて構成したものである。引張りばね３の一端部にブラシ２を植設、且つ、該ブラシ２を植毛した中央部に吸込みノズル４を設けた植毛台１を係止し、該引張りばね３の他端部は管体５の一端部に係止、更に管体５の他端部は管台６に装着する。
【００１３】  前記引張りばね３はコイル形状のばねで、コイルを形成する線間ピッチと線径とは同一寸法であり、植毛台１が動かない限りコイルを形成して隣接する線間には隙間が発生しない状態である。
【００１４】  引張りばね３の弾力性は該ばねの直径及び線径の太さで決定するものであり、植毛台１が動くことで隣り合う線間に隙間が発生する。
【００１５】  吸込みノズル４、引張りばね３の内径で形成する通気孔８ａ、管体５の通気孔８ｂ、及び管台６に設けた通気孔８ｃが一連して連通し、掃除機側ホース１０に通じる。
【００１６】  吸込みノズル４を複数個所管台６に設けた場合、中央部が周囲吸込みノズル４より突き出している状態を示している。
【００１７】  管体５は管台６から着脱可能に挿着し、取外して洗浄でき得るようにしている。
【００１８】  図４、図５は、ブラシかけを行うことにより植毛台１が動き、引張りばね３に外力が加わり、該ばねが湾曲状になって外周側の隣接する線径間に隙間部７が生じた状態を示している。この時湾曲状を形成する内側の隣接する線径間には隙間が発生しない。
【００１９】  ブラシかけを行う際、埃の通路は吸込みノズル４、引張りばね３の内径で形成する通気孔８ａ、通気孔８ｂ、通気孔８ｃの順で掃除機側ホース１０に吸引される。
【００２０】  また、同時に引張りばね３が湾曲してできる隙間部７から周囲に飛散した埃を吸込み、通気孔８ｂ、通気孔８ｃの順で掃除機側ホース１０に吸引される。
【図面の簡単な説明】
【００２１】
【図１】  本発明に係る掃除機用ブラシ付ノズルアタッチメントの概略構成図。
【図２】  図１における縦断面図。
【図３】  図１における平面図。
【図４】  引張りばねが湾曲状になったときの状態図。
【図５】  図４におけるばねの状態を示す拡大図。
【符号の説明】
【００２４】    １・・植毛台
２・・ブラシ
３・・引張りばね
４・・吸込みノズル
５・・管体
６・・管台
７・・隙間部
８ａ、８ｂ、８ｃ・・通気孔
９・・掃除機側ホース差込口
１０・・掃除機側ホース
【図１】
2014200643.tif 000003
【図２】
2014200643.tif 000004
【図３】
2014200643.tif 000005
【図４】
2014200643.tif 000006
【図５】
2014200643.tif 000007